(57)【特許請求の範囲】
【請求項１】
見出し語に対応付けて内容を記憶する記憶手段と、
外部から取得された外部情報を表示する情報表示手段と、
この情報表示手段により表示された外部情報についてのキーワードを検出するキーワード検出手段と、
このキーワード検出手段により検出された外部情報のキーワードに対応する前記記憶手段に記憶された見出し語に対し、当該外部情報を対応付けする情報対応付け手段と、
を備え、
前記記憶手段は、見出し語に対応付けて内容を記憶した複数の辞典手段であり、
前記情報対応付け手段は、
前記キーワード検出手段により検出された外部情報についてのキーワードに対応する見出し語を有する辞典手段を前記複数の辞典手段の中から検索する辞典検索手段と、
この辞典検索手段により検索された辞典手段の辞典名と前記キーワードに対応する見出し語とを共に表示する対応付け表示手段と、この対応付け表示手段により表示された辞典名の辞典手段の見出し語に対応付けて前記外部情報を登録する対応付け登録手段と、
を有することを特徴とする情報端末。
【請求項２】
請求項１に記載の情報端末にあって、さらに、
前記記憶手段に記憶された見出し語を指定する見出し語指定手段と、
この見出し語指定手段により指定された見出し語に対応付けられて前記記憶手段に記憶された内容と前記情報対応付け手段により当該見出し語に対応付けされた外部情報とを表示する見出し内容表示手段と、
を備えたことを特徴とする情報端末。
【請求項３】
請求項１に記載の情報端末にあって、さらに、
前記情報表示手段により表示された外部情報についてのキーワードを任意に設定するキーワード設定手段と、
このキーワード設定手段により設定された任意のキーワードを見出し語とし、前記外部情報をその内容として前記記憶手段に登録する情報登録手段と、
を備えたことを特徴とする情報端末。
【請求項４】
請求項１に記載の情報端末にあって、さらに、
前記情報対応付け手段により対応付けられた外部情報を、他の情報機器へ送信する対応付け情報送信手段を備えたことを特徴とする情報端末。
【請求項５】
前記外部情報は、ホームページ情報であることを特徴とする請求項１乃至請求項４の何れか１項に記載の情報端末。
【請求項６】
請求項１に記載の情報端末にあって、
前記外部情報は、ホームページ情報であり、
前記情報対応付け手段により対応付けられたホームページ情報のホームページアドレスを、他の情報機器へ送信する対応付けアドレス送信手段を備えたことを特徴とする情報端末。
【請求項７】
請求項１に記載の情報端末にあって、さらに、
他の情報端末から送信された外部情報を受信する情報受信手段を備え、
前記キーワード検出手段は、前記情報表示手段により表示された外部情報についてのキーワードまたは前記情報受信手段により受信された外部情報についてのキーワードを検出する、
ことを特徴とする情報端末。
【請求項８】
情報端末のコンピュータを制御するための情報端末制御プログラムであって、
前記コンピュータを、
見出し語に対応付けて内容を記憶する記憶手段、
外部から取得された外部情報を表示する情報表示手段、
この情報表示手段により表示された外部情報についてのキーワードを検出するキーワード検出手段、
このキーワード検出手段により検出された外部情報のキーワードに対応する前記記憶手段に記憶された見出し語に対し、当該外部情報を対応付けする情報対応付け手段、
として機能させ、
前記記憶手段は、見出し語に対応付けて内容を記憶した複数の辞典手段であり、
前記情報対応付け手段は、
前記キーワード検出手段により検出された外部情報についてのキーワードに対応する見出し語を有する辞典手段を前記複数の辞典手段の中から検索する辞典検索手段、
この辞典検索手段により検索された辞典手段の辞典名と前記キーワードに対応する見出し語とを共に表示する対応付け表示手段と、この対応付け表示手段により表示された辞典名の辞典手段の見出し語に対応付けて前記外部情報を登録する対応付け登録手段、
として機能させるようにしたコンピュータ読み込み可能な情報端末制御プログラム。
【発明の詳細な説明】
【０００１】
【発明の属する技術分野】
本発明は、各種用語の検索を行うための情報端末および情報端末制御プログラムに関する。
【０００２】
【従来の技術】
一般に、未知の言葉や物事などを知るために、その用語の検索を行うには、各種の言語辞典や専門分野の辞典、あるいは百科辞典・広辞苑などが使用されており、また、これら各種の辞典内容を見出し語に対応付けて検索データベースとして記憶させた電子式の辞典も使用されている。
【０００３】
一方、ＰＣ(personal computer)やＰＤＡ(personal digital assistants)などの通信機能を備えた情報端末により、インターネット上の各種Ｗｅｂサイトにアクセスして様々な情報を閲覧しているときに、例えば前記辞典などでは十分開示されない未知の情報で保存しておきたい情報がある場合は、お気に入りのフォルダなどにその都度登録したり、通信機能付きのＰＤＡや携帯電話で受信した情報を特定のフォルダに保存し直したり、あるいはテレビを見ているときなどにおいて、同様にメモしておきたい情報がある場合は、ビデオテープやＤＶＤ(digital video disc)などにその都度録画したりして、知りたい情報を得るようにしている。
【０００４】
【発明が解決しようとする課題】
しかしながら、例えば前記電子式の辞典など、予め見出し語に対応付けてその内容を固定的に記憶した電子機器では、ユーザが所望する十分な情報が得られない場合がある。
【０００５】
一方、前記インターネット上から得られた各種の情報をその都度単に登録したり、あるいはテレビから得られた各種の情報をその都度単に録画したりするだけでは、その登録や録画された情報が多数になると、実際にその取得情報を検索して見たい場合に探し出すのが困難になる問題がある。
【０００６】
本発明は、前記のような問題に鑑みてなされたもので、インターネットサイトやテレビ番組などから入手される情報を見出し語に対応付けて、簡単且つ迅速に探し出すことが可能になる情報端末および情報端末制御プログラムを提供することを目的とする。
【０００７】
【課題を解決するための手段】
すなわち、本発明の請求項１に係る情報端末は、見出し語に対応付けて内容を記憶する記憶手段と、外部から取得された外部情報を表示する情報表示手段と、この情報表示手段により表示された外部情報についてのキーワードを検出するキーワード検出手段と、このキーワード検出手段により検出された外部情報のキーワードに対応する前記記憶手段に記憶された見出し語に対し、当該外部情報を対応付けする情報対応付け手段と、を備え、前記記憶手段は、見出し語に対応付けて内容を記憶した複数の辞典手段であり、前記情報対応付け手段は、前記キーワード検出手段により検出された外部情報についてのキーワードに対応する見出し語を有する辞典手段を前記複数の辞典手段の中から検索する辞典検索手段と、この辞典検索手段により検索された辞典手段の辞典名と前記キーワードに対応する見出し語とを共に表示する対応付け表示手段と、この対応付け表示手段により表示された辞典名の辞典手段の見出し語に対応付けて前記外部情報を登録する対応付け登録手段と、を有することを特徴とする。
【０００８】
このような、本発明の請求項１に係る情報端末では、見出し語に対応付けてその説明内容を記憶する記憶手段を有し、情報表示手段により外部から取得された外部情報が表示されると、この表示された外部情報についてのキーワードがキーワード検出手段により検出される。そして、このキーワード検出手段により検出された外部情報のキーワードに対応する前記記憶手段に記憶された見出し語に対して、当該外部情報が適切かつ容易に対応（リンク）付けされる。この際、複数の辞典のうちのキーワードに対応する見出し語を有する辞典の見出し語に対応づけて外部情報を記憶するようにしたので、例えばインターネット上のＷｅｂページ情報やテレビなどの情報機器から発信される情報を、複数の辞典のうちの適切な辞書の見出し語の説明内容の付加情報として、適切に登録できることになる。
【０００９】
また、本発明の請求項２に係る情報端末は、前記請求項１に係る情報端末にあって、さらに、前記記憶手段に記憶された見出し語を指定する見出し語指定手段と、この見出し語指定手段により指定された見出し語に対応付けられて前記記憶手段に記憶された内容と前記情報対応付け手段により当該見出し語に対応付けされた外部情報とを表示する見出し内容表示手段と、を備えたことを特徴とする。
【００１０】
このような、本発明の請求項２に係る情報端末では、前記記憶手段に記憶された見出し語が見出し語指定手段により指定されると、この指定された見出し語に対応付けられて前記記憶手段に記憶された内容と当該見出し語に対応（リンク）付けされた外部情報の内容とが共に表示される。これにより、例えば単なる見出し語検索を行うだけで、その説明内容と共にインターネット検索や他の情報機器から得られた付加情報を表示させることができる。
【００１１】
【発明の実施の形態】
以下、図面を参照して本発明の実施の形態について説明する。
【００１２】
図１は、本発明の情報端末の実施形態に係る通信機能付き電子辞典（通信電子辞典）１０の電子回路の構成を示すブロック図である。
【００１３】
通信電子辞典１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００１４】
ＣＰＵ１１は、メモリ１２内のＲＯＭ１２Ａに予め記憶された電子辞典制御プログラム、あるいはＲＯＭカードなどの外部記録媒体１３から記録媒体読取部１４を介して前記メモリ１２に読み込まれた電子辞典制御プログラム、あるいはインターネットＮ上のＷｅｂサーバ２０（この場合はプログラムサーバ）からネット接続部１５を介して前記メモリ１２に読み込まれた電子辞典制御プログラムに応じて、回路各部の動作を制御するもので、前記メモリ１２に記憶された電子辞典制御プログラムは、キーやタッチパネルからなる入力部１７からのユーザ操作に応じた入力信号、あるいはネット接続部１５を介して接続されるインターネットＮ上の各Ｗｅｂサーバ２０…との通信信号、あるいはBluetooth(R)による近距離通信部１６を介してＩＤ認証接続されるテレビ・携帯電話・他の通信電子辞典などの外部情報機器３０…との通信信号に応じて起動される。
【００１５】
前記ＣＰＵ１１には、前記メモリ１２、記録媒体読取部１４、ネット接続部１５、入力部１７、近距離通信部１６が接続される他に、ＬＣＤからなる表示部１８などが接続される。
【００１６】
この通信電子辞典１０のメモリ１２は、ＲＯＭ１２Ａ、FLASHメモリ(EEP-ROM)１２Ｂ、ＲＡＭ１２Ｃを備えて構成される。
【００１７】
ＲＯＭ１２Ａには、当該通信電子辞典１０の全体の動作を司るシステムプログラムやネット接続部１５を介してインターネットＮ上の各Ｗｅｂサーバ２０…とデータ通信するための通信プログラム、近距離通信部１６を介してＩＤ認証接続される各外部情報機器３０…とデータ通信するための近距離通信プログラムが記憶される他に、この通信電子辞典１０での辞典検索処理やＷｅｂ情報のリンク付け登録処理・他の通信電子辞典（外部情報機器）３０からのリンク情報受信登録処理などを行うための電子辞典制御プログラム１２ａが記憶される。
【００１８】
また、このＲＯＭ１２Ａには、前記電子辞典制御プログラム１２ａに従った辞典検索の対象データベースとなる広辞苑，技術用語辞典，カタカナ辞典，百科辞典，英和辞典，和英辞典，国語辞典など、各種の辞典の内容が収録された内蔵辞典データベース１２ｂが備えられる。
【００１９】
FLASHメモリ(EEP-ROM)１２Ｂには、インターネットＮ上のＷｅｂサーバ（この場合は辞典データサーバ）２０からダウンロードされた各種の辞典データを記憶するためのダウンロード辞典データベース１２ｃが用意されると共に、前記内蔵辞典データベース１２ｂやダウンロード辞典データベース１２ｃ内の各辞典見出し語をキーワードとして対応付け（リンク付け）されるテレビ番組情報やホームページ（ＨＰ）情報が順次そのリンク番号１，２，３，…を付加されて記憶されるリンク情報メモリ１２d1，１２d2，…（図３参照）、前記内蔵辞典データベース１２ｂやダウンロード辞典データベース１２ｃにおける各辞典（カタカナ辞典，広辞苑，技術用語辞典，…）それぞれの見出し番号に対応付けて前記リンク情報メモリ１２d1，１２d2，…に記憶させた各リンク情報のリンク番号１，２，３，…を登録するための見出し語テーブル１２ｅ（図４参照）などのメモリエリアが用意される。
【００２０】
ＲＡＭ１２Ｃには、インターネットＮ上の各種Ｗｅｂサーバ２０…からダウンロードされたホームページＨＰなどの情報が一時的に格納されるダウンロードデータメモリ１２ｆ、などのワークエリアが用意される。
【００２１】
図２は前記通信電子辞典１０の辞典データベース１２ｂ，１２ｃにおける各辞典データが有するＷｅｂ検索情報を示す図である。
【００２２】
前記内蔵辞典データベース１２ｂやダウンロード辞典データベース１２ｃにおける各辞典データは、そのそれぞれの収録見出し語と対応説明内容を有するだけでなく、当該各辞典見出し語の詳細情報検索をインターネットＮ上で行うための検索サイトとそのＨＰアドレスを有する。
【００２３】
図３は前記通信電子辞典１０のリンク情報メモリ１２d1，１２d2，…におけるリンク情報の格納状態を示す図である。
【００２４】
すなわち、このリンク情報メモリ１２d1，１２d2，…には、それぞれ前記内蔵辞典データベース１２ｂやダウンロード辞典データベース１２ｃ内の各辞典見出し語をキーワードとして対応付け（リンク付け）されたテレビ番組情報やホームページ（ＨＰ）情報が、そのホームページ（ＨＰ）アドレスのみ又はその内容全体と組み合わされ、個々にリンク番号１，２，３，…を付加されて記憶される。
【００２５】
図４は前記通信電子辞典１０の辞典データベース１２ｂ，１２ｃにおける各辞典内容と見出し語テーブル１２ｅとの対応関係を示す図である。
【００２６】
辞典データベース１２ｂ，１２ｃに収録されている各辞典（カタカナ辞典１２b1，広辞苑１２b2，技術用語辞典１２b3，…）それぞれの説明内容は、各対応する見出し語テーブル１２e1，１２e2，１２e3，…それぞれの見出し語番号で対応付けされており、この各辞典見出し語をキーワードとして対応付け（リンク付け）される前記リンク情報メモリ１２d1，１２d2，…（図３参照）内の各リンク情報は、そのそれぞれのリンク番号１，２，３，…が対応見出し語のリンク情報Ｎｏとして登録されることで対応付け（リンク付け）される。
【００２７】
次に、前記構成による情報端末（通信電子辞典）１０の動作について説明する。
【００２８】
図５は前記情報端末（通信電子辞典）１０においてＷｅｂ情報を取得して辞典見出し語にリンク付け登録するためのリンク情報取得処理を示すフローチャートである。
【００２９】
図６は前記情報端末（通信電子辞典）１０でのリンク情報取得処理に伴う辞典リンク設定処理を示すフローチャートである。
【００３０】
図７は前記情報端末（通信電子辞典）１０でのリンク情報取得・辞典リンク設定処理に伴うＷｅｂホームページ（ＨＰ）からのＷｅｂ情報取得およびその辞典リンク設定の操作表示動作を示す図である。
【００３１】
図８は前記情報端末（通信電子辞典）１０でのリンク情報取得・辞典リンク設定処理に伴う外部情報機器（この場合はテレビ）３０からの発信情報に基づくＷｅｂ情報取得およびその辞典リンク設定の操作表示動作を示す図である。
【００３２】
図５における情報端末（通信電子辞典）１０でのリンク情報取得処理において、ネット接続部１５を介しインターネットＮ上のＷｅｂサーバ２０…に接続して各種のＷｅｂホームページ（ＨＰ）を表示閲覧中である場合に（ステップＳ１）、例えば図７（Ａ）に示すような、「インターネット講座」のＷｅｂページ画面Ｇ１が表示されこれを辞典登録するのに、キー入力部１７の「辞典登録」キー１７ａが操作されると（ステップＳ２）、ＲＡＭ１２Ｃ内のダウンロードデータメモリ１２ｆに一時記憶されて表示されている「インターネット講座」の＜ブロードバンドとデジタル変調＞に関するＨＰ情報が例えば図３に示すようにリンク情報番号“３”を付加されてリンク情報メモリ１２d3に記憶される（ステップＳ３）。
【００３３】
すると、図６における辞典リンク設定処理に移行され（ステップＳＡ）、前記ＨＰ情報内のタイトルからキーワード「ブロードバンド」「デジタル変調」が抽出されると共に（ステップＡ１）、各辞典データベース１２ｂ，１２ｃにおける各辞典データが検知されて（ステップＡ２）、前記抽出キーワードを見出し語として有する辞典がサーチされる（ステップＡ３）。
【００３４】
すると、図７（Ｂ）に示すように、前記登録対象ＨＰ情報のキーワード「ブロードバンド」「デジタル変調」を見出し語として有する各辞典名［技術用語辞典］が自動リンク設定ウインドウＷ１として一覧表示され（ステップＡ４）、当該リンク設定ウインドウＷ１上に設けられた登録確認の「はい」ボタンＴ１が操作されると（ステップＡ５）、前記リンク情報メモリ１２d3に記憶された登録対象ＨＰ情報のリンク情報番号“３”が図４（Ｃ）に示すように［技術用語辞典］の見出し語テーブル１２e3における各見出し語「デジタル変調」「ブロードバンド」のリンク情報Ｎｏとして対応付け（リンク付け）されて登録される（ステップＡ６）。
【００３５】
一方、前記自動リンク設定ウインドウＷ１上に設けられた「別の見出し語設定」ボタンＴ２が操作されると、図７（Ｃ）に示すように、各辞典データベース１２ｂ，１２ｃの中からリンク付けすべき辞典とその見出し語を任意に設定するためのマニュアルリンク設定ウインドウＷ２が表示される（ステップＡ７）。
【００３６】
そして、例えば図７（Ｄ）に示すように、前記登録対象ＨＰ情報のリンク先の辞典としてユーザ独自の［マイ辞典］が選択されると共に（ステップＡ８）、当該［マイ辞典］の中でリンク付けする見出し語「インターネット講座▲１▼」が入力されて登録確認の「はい」ボタンＴ１が操作されると（ステップＡ９）、選択された辞典データ［マイ辞典］の中に新たに入力された見出し語「インターネット講座▲１▼」が付加され、前記リンク情報メモリ１２d3に記憶された登録対象ＨＰ情報のリンク情報番号“３”が当該辞典見出し語「インターネット講座▲１▼」のリンク情報Ｎｏとして対応付け（リンク付け）されて登録される（ステップＡ１０）。
【００３７】
これにより、例えばネットサーフィン中に任意のＷｅｂページ上で見つけたＨＰ情報を、そのＨＰ情報から抽出されたキーワードに対応する見出し語を有する辞典データの当該見出し語に対応する付加情報として簡単にリンク付けして登録しておくことができる。
【００３８】
一方、前記図５におけるステップＳ１にあって、Ｗｅｂホームページ（ＨＰ）を表示閲覧中ではなく、近距離通信部１６によってＩＤ認証接続可能な外部情報機器３０、例えば図８（Ａ）に示すようなＢＳ−ＴＶでの現在放送中の番組情報を辞典登録するのに、当該外部情報機器（ＢＳ−ＴＶ）３０の近くに本通信電子辞典１０を配置すると、近距離通信部１６を介して外部情報機器（ＢＳ−ＴＶ）３０との接続が検知され（ステップＳ４）、この外部情報機器（ＢＳ−ＴＶ）３０から現在放送中の番組の関連情報が発信中であるか否か判断される（ステップＳ５）。
【００３９】
そして、図８（Ｂ）に示すように、前記外部情報機器（ＢＳ−ＴＶ）３０から現在放送中の番組の関連情報が発信中であると判断された状態にあって、キー入力部１７の「辞典登録」キー１７ａが操作されると（ステップＳ６）、近距離通信部１６によって受信される現在放送中の番組関連情報からそのＨＰアドレス情報[http//www.b-tv.busi/trend.no123]が取得される（ステップＳ７）。
【００４０】
すると、この取得された現在放送中の番組のＨＰアドレス[http//www.b-tv.busi/trend.no123]に従い、図８（Ｃ）に示すように、ネット接続部１５を介してインターネットＮ上の対応するＷｅｂサーバ（番組提供Ｗｅｂサイト）２０に接続され、そのＨＰ情報［トレンド・シードNo123］がダウンロードされてダウンロードデータメモリ１２ｆに一時記憶され、例えば図８（Ｄ）に示すように表示されると共に（ステップＳ８）、当該番組ＨＰ情報がリンク情報番号“４”を付加されてリンク情報メモリ１２d4（図３参照）に記憶される（ステップＳ３）。
【００４１】
すると、図６における辞典リンク設定処理に移行され（ステップＳＡ）、前記番組ＨＰ情報内のタイトルからキーワード「ビール」「サーバー」「トレンド」が抽出されると共に（ステップＡ１）、各辞典データベース１２ｂ，１２ｃにおける各辞典データが検知されて（ステップＡ２）、前記抽出キーワードを見出し語として有する辞典がサーチされる（ステップＡ３）。
【００４２】
すると、図８（Ｅ）に示すように、前記登録対象番組ＨＰ情報のキーワード「ビール」「サーバー」「トレンド」を見出し語として有する各辞典名［カタカナ辞典］［広辞苑］が自動リンク設定ウインドウＷ１として一覧表示され（ステップＡ４）、当該リンク設定ウインドウＷ１上に設けられた登録確認の「はい」ボタンＴ１が操作されると（ステップＡ５）、前記リンク情報メモリ１２d4に記憶された登録対象番組ＨＰ情報のリンク情報番号“４”が図４（Ａ）（Ｂ）に示すような各辞典［カタカナ辞典］［広辞苑］の見出し語テーブル１２e2，１２e3におけるリンク情報Ｎｏとして対応付け（リンク付け）されて登録される（ステップＡ６）。
【００４３】
これにより、ＢＳ−ＴＶ（外部情報機器）３０などで放送中の番組情報を、当該外部情報機器３０から近距離通信によって発信されている該当番組のＨＰアドレスに従ってその番組Ｗｅｂサーバ２０へアクセスすることで取得し、この取得された番組ＨＰ情報を、抽出されたキーワードに対応する見出し語を有する辞典データの該見出し語に対応する付加情報として簡単にリンク付けして登録しておくことができる。
【００４４】
図９は前記情報端末（通信電子辞典）１０においてリンク付け登録された辞典見出し語の対応情報を検索表示するためのリンク情報表示処理を示すフローチャートである。
【００４５】
図１０は情報端末（外部情報機器：他の通信電子辞典・携帯電話など）３０において前記情報端末（通信電子辞典）１０から送信されたＷｅｂリンク情報を受信するためのリンク情報受信処理を示すフローチャートである。
【００４６】
図１１は前記情報端末（通信電子辞典）１０でのリンク情報表示処理に伴う辞典検索操作表示動作を示す図である。
【００４７】
図１２は前記情報端末（通信電子辞典）１０でのリンク情報表示・送信処理および前記情報端末（外部情報機器）３０でのリンク情報受信処理に伴う辞典検索操作表示動作および受信表示動作を示す図である。
【００４８】
図９におけるリンク情報表示処理にあって、例えば図１１に示すように、キー入力部１７における「技術用語辞典」キー１７ｂが操作されて用語検索対象の辞典が選択されると共に（ステップＢ１）、検索キーワード「ブロードバンド」が入力されて「訳／決定」キー１７ｃが操作されると（ステップＢ２）、内蔵辞典データベース１２ｂあるいはダウンロード辞典データベース１２ｃ内に収録されている選択された辞典［技術用語辞典］から入力された見出し語「ブロードバンド」に対応する説明情報「(1)狭帯域(narrowband)に…」が読み出され、図１１に示すような検索情報表示画面Ｇ２の上段に表示される（ステップＢ３）。
【００４９】
すると、前記検索表示された［技術用語辞典］の見出し語「ブロードバンド」に見出し語テーブル１２e3によって対応付けられたリンク情報Ｎｏ“３”のリンク情報がリンク情報メモリ１２d3に登録されているか否か判断され（ステップＢ４）、リンク情報登録ありと判断された場合には、当該リンク情報としてＨＰアドレスが記憶されているか否か判断される（ステップＢ５）。
【００５０】
ここで、前記検索表示された［技術用語辞典］の見出し語「ブロードバンド」のリンク情報としてＨＰアドレスではなくそのＨＰから取得された詳細な説明情報＜ブロードバンドとデジタル変調＞が記憶されている場合には、当該リンク情報の内容が前記［技術用語辞典］からの見出し語検索情報と共に、図１１で示すような検索情報表示画面Ｇ２の下段に表示される（ステップＢ５→Ｂ７）。
【００５１】
これにより、各辞典データベース１２ｂ，１２ｃに基づく通常の用語検索操作を行うだけで、その見出し語に対応した説明情報が通常検索表示されるだけでなく、当該見出し語にリンク付けして登録した付加情報としてのＨＰ情報も共に表示確認できるようになる。
【００５２】
また、例えば図１２（Ａ）に示すように、キー入力部１７における「カタカナ辞典」キー１７ｄが操作されて用語検索対象の辞典が選択されると共に（ステップＢ１）、検索キーワード「トレンド」が入力されて「訳／決定」キー１７ｃが操作されると（ステップＢ２）、内蔵辞典データベース１２ｂあるいはダウンロード辞典データベース１２ｃ内に収録されている選択された辞典［カタカナ辞典］から入力された見出し語「トレンド」に対応する説明情報「▲１▼動向。すう勢。▲２▼未知・…」が読み出され、検索情報表示画面Ｇ２の上段に表示される（ステップＢ３）。
【００５３】
すると、前記検索表示された［カタカナ辞典］の見出し語テーブル１２e1における見出し語「トレンド」に対応付けられたリンク情報Ｎｏ“４”のリンク情報がリンク情報メモリ１２d4に登録されているか否か判断され（ステップＢ４）、リンク情報登録ありと判断された場合には、当該リンク情報としてＨＰアドレスが記憶されているか否か判断される（ステップＢ５）。
【００５４】
ここで、前記検索表示された［カタカナ辞典］の見出し語「トレンド」のリンク情報としてＨＰアドレス[http//www.b-tv.busi/trend.no123]が記憶されている場合には、このＨＰアドレス[http//www.b-tv.busi/trend.no123]に従い、ネット接続部１５を介してインターネットＮ上の対応する番組Ｗｅｂサーバ２０に接続され、当該番組ＨＰ情報［トレンド・シードNo123］がリンク情報の内容としてダウンロードされダウンロードメモリ１２ｆに一時記憶されると共に（ステップＢ５→Ｂ６）、当該リンク情報の内容が前記［カタカナ辞典］からの見出し語検索情報と共に、検索情報表示画面Ｇ２の下段に表示される（ステップＢ６→Ｂ７）。
【００５５】
これにより、各辞典データベース１２ｂ，１２ｃに基づく通常の用語検索操作を行うだけで、その見出し語に対応した説明情報が通常検索表示されるだけでなく、当該見出し語にリンク付けして登録した番組ＨＰアドレスに従いアクセス取得された付加情報としての番組ＨＰ情報も共に表示確認できるようになる。
【００５６】
そして、このようにカタカナ辞典検索された見出し語の説明情報「▲１▼動向。すう勢。▲２▼未知・…」と共にリンク付けされたＨＰ詳細説明情報［トレンド・シードNo123］が表示された状態で、この「トレンド」検索情報の全体を、例えば図１２（Ｂ）に示すように、他の通信電子辞典（外部情報機器）３０ａにも与えて利用するために、「送信」キー１７ｅが操作されると（ステップＢ８）、近距離通信部１６を介して近くに配置された外部情報機器（この場合は他の通信電子辞典）３０ａとのＩＤ認証接続が検知される（ステップＢ９）。
【００５７】
すると、近距離通信接続された外部情報機器（他の通信電子辞典）３０ａが携帯電話３０ｂではないと判断され（ステップＢ１０）、前記カタカナ辞典検索に伴うリンク情報内容である「トレンド」検索情報の全体が近距離接続中の外部情報機器（他の通信電子辞典）３０ａへ送信される（ステップＢ１１）。
【００５８】
そして、図１０におけるリンク情報受信処理にあって、前記外部情報機器（他の通信電子辞典）３０ａにおいて、他の情報端末（この場合は通信電子辞典）１０から送信された辞典検索に伴うリンク情報の内容が受信されると（ステップＣ１→Ｃ２）、当該受信されたリンク情報がＨＰアドレスのみであるか否か判断される（ステップＣ３）。
【００５９】
ここで、外部情報機器（他の通信電子辞典）３０ａに受信されたリンク情報はＨＰアドレスのみではなくそのＨＰ情報を含む「トレンド」検索情報の全体である場合には、図１２（Ｂ）に示すように、当該受信されたリンク情報の内容が受信リンク情報画面Ｇ３として表示される（ステップＣ３→Ｃ４）。
【００６０】
そして、この外部情報機器（他の通信電子辞典）３０ａの「辞典登録」キー１７ａが操作されると（ステップＣ６）、前記同様の辞典リンク設定処理（図５・図６参照）へ移行され、この場合には図８（Ｅ）で示したように、［広辞苑］［カタカナ辞典］の見出し語「ビール」「サーバー」「トレンド」にリンク付けされて登録される（ステップＡ１〜Ａ６）。
【００６１】
これにより、通信電子辞典１０においてその辞典データの任意の見出し語にリンク付けされて登録された付加情報としてのＨＰ情報を、他の通信電子辞典３０ａにも送ってその場で表示させ、この他の通信電子辞典３０ａにあっても内蔵の辞典データ見出し語に同様にリンク付けして登録しておくことができる。
【００６２】
一方、前記図９におけるリンク情報表示処理でのステップＢ８にあって、通信電子辞典１０に表示されている「トレンド」検索情報の全体を、例えば図１２（Ｃ）に示すように、携帯電話（外部情報機器）３０ｂにも与えて利用するために、「送信」キー１７ｅが操作されると（ステップＢ８）、近距離通信部１６を介して近くに配置された外部情報機器（この場合は携帯電話）３０ｂとのＩＤ認証接続が検知される（ステップＢ９）。
【００６３】
すると、近距離通信接続された外部情報機器３０が携帯電話３０ｂであると判断され（ステップＢ１０）、前記カタカナ辞典検索に伴うリンク情報内容である「トレンド」検索情報のうちのリンク先ＨＰアドレス[http//www.b-tv.busi/trend.no123]が近距離接続中の外部情報機器（携帯電話）３０ｂへ送信される（ステップＢ１２）。
【００６４】
そして、図１０におけるリンク情報受信処理にあって、前記外部情報機器（携帯電話）３０ｂにおいて、他の情報端末（この場合は通信電子辞典）１０から送信された辞典検索に伴うリンク情報の内容が受信されると（ステップＣ１→Ｃ２）、当該受信されたリンク情報がＨＰアドレスのみであると判断される（ステップＣ３）。
【００６５】
すると、この受信されたリンク情報のＨＰアドレス[http//www.b-tv.busi/trend.no123]に従い、ネット接続部１５を介してインターネットＮ上の対応するＷｅｂサーバ（番組提供Ｗｅｂサイト）２０に接続され、そのＨＰ情報［トレンド・シードNo123］がダウンロードされると共に（ステップＣ５）、図１２（Ｃ）に示すように、受信リンク情報画面Ｇ３′として表示される（ステップＣ４）。
【００６６】
そして、この外部情報機器（携帯電話）３０ｂにおいて「辞典登録」の操作が為されると（ステップＣ６）、前記同様の辞典リンク設定処理（図６参照）へ移行され、例えば当該携帯電話３０ｂのダウンロード辞典データベース１２ｃにある［広辞苑］［カタカナ辞典］の見出し語「ビール」「サーバー」「トレンド」に対し、前記図８（Ｅ）同様にリンク付けされて登録される（ステップＡ１〜Ａ６）。
【００６７】
これにより、通信電子辞典１０においてその辞典データの任意の見出し語にリンク付けされて登録された付加情報としてのＨＰ情報のＨＰアドレスを、携帯電話３０ｂにも送ってその場で該当ＨＰにアクセスさせて表示させ、この携帯電話３０ｂにあっても例えばダウンロード辞典データの見出し語に同様にリンク付けして登録しておくことができる。
【００６８】
すなわち、ユーザ自身の通信電子辞典１０によりその辞典データベース１２ｂ，１２ｃ内の該当見出し語にリンク付けして登録した付加情報としてのＨＰ情報を、他人の通信電子辞典３０ａや携帯電話３０ｂにも送って共有の付加情報として同様に表示登録させることができる。
【００６９】
図１３は前記情報端末（通信電子辞典）１０において辞典検索に伴い詳細説明情報をＷｅｂ上から取得して辞典見出し語にリンク付け登録するためのネット検索情報登録処理を示すフローチャートである。
【００７０】
キー入力部１７における各種の「辞典」キーが選択操作されて用語検索対象の所望の辞典が指定されると共に（ステップＤ１）、検索キーワード（用語）が入力されて「決定」キーが操作されると（ステップＤ２）、内蔵辞典データベース１２ｂあるいはダウンロード辞典データベース１２ｃ内に収録されている指定された辞典から入力された見出し語に対応する説明情報が検索され（ステップＤ３）、当該見出し語とその説明内容が表示部１８に表示される（ステップＤ４）。
【００７１】
この辞典検索に伴う見出し語対応の説明情報が検索表示された状態で、例えばその説明情報が不十分であり、さらに詳細な説明情報を当該辞典の見出し語説明情報として付加したい場合に、入力部１７の操作によりネット検索が指示されると（ステップＤ５）、図２で示したような指定の辞典に対応した検索エンジンのＷｅｂサイトＨＰアドレスが読み出され（ステップＤ６）、ネット接続部１５からインターネットＮ上の対応検索エンジンのＷｅｂサーバ２０にアクセスされる（ステップＤ７）。
【００７２】
例えば［広辞苑］が指定されて用語検索が行われた場合には、当該［広辞苑］の各見出し語に対応する詳細説明情報を有するＷｅｂサイト(http//www.kokugo.**…)２０の検索エンジン［ネット国語辞典］にアクセスされ、前記ステップＤ１〜Ｄ４における辞典の検索結果に該当する詳細説明情報を有するＨＰ一覧が表示される（ステップＤ８）。
【００７３】
ここで、前記辞典検索結果のより詳細な説明情報として相応しいＨＰが指定されると（ステップＤ９）、当該ＨＰ情報がＷｅｂサーバ２０からダウンロードされて取得され、ダウンロードデータメモリ１２ｆに格納される（ステップＤ１０）。
【００７４】
そして、前記検索対象とした辞典の見出しに対応付けて登録するための登録指定操作が行われると（ステップＤ１１）、図４で示した各辞典見出し語テーブル１２ｅにおける当該辞典の検索見出し語のリンク情報Ｎｏに対応して、前記見出し語対応の詳細説明情報を有する指定ＨＰアドレスが直接リンク付けされて登録される（ステップＤ１２）。
【００７５】
この後、さらにネット検索が指示された場合には、前記ステップＤ６からＷｅｂ検索処理およびその辞典リンク登録処理が繰り返し実行される（ステップＤ１３→Ｄ６〜Ｄ１２）。
【００７６】
これにより、各辞典データベース１２ｂ，１２ｃに基づく用語検索を行った際に、その検索結果として表示された見出し語の説明情報が不足気味である場合には、さらに詳細な説明情報を簡単に関連ＨＰからダウンロードして、該当辞典データの見出し語にリンク付けして登録しておくことができる。
【００７７】
したがって、前記構成の通信電子辞典１０によれば、インターネットＮ上の各種Ｗｅｂサイト２０…にアクセスしそのＨＰ情報を閲覧している際に、任意のＷｅｂページ上で見つけたＨＰ情報について「辞典登録」キー１７ａを操作すると、そのＨＰ情報から抽出されたキーワードに対応する見出し語を有する辞典がサーチされると共に、このサーチされた辞典の該当見出し語に対応する説明内容の付加情報として、前記ＨＰ情報が簡単に対応付け（リンク付け）されて登録されるので、各辞典データベース１２ｂ，１２ｃに基づく通常の用語検索操作を行うだけで、その見出し語に対応した説明内容が検索表示されるだけでなく、当該見出し語に対応付け（リンク付け）された付加情報としてのＨＰ情報も共に表示させて確認できるようになる。
【００７８】
また、前記構成の通信電子辞典１０によれば、外部情報機器（ＴＶ）３０の放送番組を視聴中に「辞典登録」キー１７ａを操作すると、当該外部情報機器３０からBluetooth(R)などの近距離通信によって発信されている該当番組のＨＰアドレスが取得され、この番組ＨＰアドレスに従って番組Ｗｅｂサーバ２０へアクセスされて該当番組ＨＰ情報が取得される。そして、この番組ＨＰ情報から抽出されたキーワードに対応する見出し語を有する辞典がサーチされると共に、このサーチされた辞典の該当見出し語に対応する説明内容の付加情報として、前記番組ＨＰ情報が簡単に対応付け（リンク付け）されて登録されるので、各辞典データベース１２ｂ，１２ｃに基づく通常の用語検索操作を行うだけで、その見出し語に対応した説明内容が検索表示されるだけでなく、当該見出し語にリンク付けされた付加情報としてのＴＶ番組ＨＰ情報も共に表示させて確認できるようになる。
【００７９】
また、前記構成の通信電子辞典１０によれば、辞典データベース１２ｂ，１２ｃ内の任意の見出し語に対応付け（リンク付け）して登録した付加情報としてのＨＰ情報を、「送信」キー１７ｅの操作に応じBluetooth(R)などの近距離通信によって接続可能な外部情報機器３０にも送ってその場で表示させ、この外部情報機器３０にあっても「辞典登録」キー１７ａを操作することで内蔵の辞典データベースの見出し語に同様簡単に対応付け（リンク付け）して登録できるので、ユーザ自身が有する複数の情報機器間で前記ＨＰ情報を見出し語にリンク付けした同様の辞典データベースを共有保存できるだけでなく、他人の情報機器にも送って同時表示させることができる。
【００８０】
また、前記構成の通信電子辞典１０によれば、辞典データベース１２ｂ，１２ｃに基づく用語検索を行った際、その検索結果として表示された見出し語の説明内容が不足気味である場合に、インターネットＮの検索操作を行うと、検索対象の辞典に対応付けられた検索エンジンを有するＷｅｂサーバ２０にアクセスされ、前記見出し語の詳細説明情報に相当するＨＰ情報を指定ダウンロードして辞典登録を指示すると、当該ＨＰ情報が該当する辞典の見出し語にリンク付けされて登録されるので、予め内蔵された辞典データベース１２ｂやダウンロードされた辞典データベース１２ｃの内容を、簡単な操作でさらに詳細な付加情報を追加登録してカスタマイズできるようになる。
【００８１】
なお、前記実施形態では、インターネットＮからダウンロードされたＨＰ情報などの外部情報を辞典見出し語に対応付け（リンク付け）する手段として、見出し語テーブル１２ｅにおける見出し語番号に当該外部情報のリンク情報Ｎｏを登録して対応付け（リンク付け）する構成としたが、辞典の内容そのものに外部情報の取得格納先番号やＨＰアドレスを直接記憶させるなど、他の種々の方法で対応付ける構成としてもよい。
【００８２】
なお、前記実施形態において記載した通信電子辞典１０による各処理の手法、すなわち、図５のフローチャートに示すＷｅｂ情報を取得して辞典見出し語にリンク付け登録するためのリンク情報取得処理、図６のフローチャートに示すリンク情報取得処理に伴う辞典リンク設定処理、図９のフローチャートに示すリンク付け登録された辞典見出し語の対応情報を検索表示するためのリンク情報表示処理、図１０のフローチャートに示す通信電子辞典１０から送信されたＷｅｂリンク情報を外部情報機器３０で受信するためのリンク情報受信処理、図１３のフローチャートに示す辞典検索に伴い詳細説明情報をＷｅｂ上から取得して辞典見出し語にリンク付け登録するためのネット検索情報登録処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。そして、通信ネットワーク（インターネット）Ｎとの通信機能を備えた種々のコンピュータ端末は、この外部記録媒体１３に記憶されたプログラムを記録媒体読取部１４によってメモリ１２に読み込み、この読み込んだプログラムによって動作が制御されることにより、前記実施形態において説明したＷｅｂ情報利用の辞典登録機能を実現し、前述した手法による同様の処理を実行することができる。
【００８３】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末から前記のプログラムデータを取り込み、前述したＷｅｂ情報利用の辞典登録機能を実現することもできる。
【００８４】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００８５】
【発明の効果】
以上のように、本発明の請求項１に係る情報端末によれば、見出し語に対応付けてその説明内容を記憶する記憶手段を有し、情報表示手段により外部から取得された外部情報が表示されると、この表示された外部情報についてのキーワードがキーワード検出手段により検出される。そして、このキーワード検出手段により検出された外部情報のキーワードに対応する前記記憶手段に記憶された見出し語に対して、当該外部情報が適切かつ容易に対応（リンク）付けされる。この際、複数の辞典のうちのキーワードに対応する見出し語を有する辞典の見出し語に対応づけて外部情報を記憶するようにしたので、例えばインターネット上のＷｅｂページ情報やテレビなどの情報機器から発信される情報を、複数の辞典のうちの適切な辞書の見出し語の説明内容の付加情報として、適切に登録できるようになる。
【００８６】
また、本発明の請求項２に係る情報端末によれば、前記記憶手段に記憶された見出し語が見出し語指定手段により指定されると、この指定された見出し語に対応付けられて前記記憶手段に記憶された説明内容と当該見出し語に対応（リンク）付けされた外部情報の内容とが容易に表示される。これにより、例えば単なる見出し語検索を行うだけで、その説明内容と共にインターネット検索や他の情報機器から得られた付加情報を表示させることができる。
【００８７】
よって、本発明によれば、インターネットサイトやテレビ番組などから入手される情報を、簡単且つ迅速に探し出すことが可能になる。
【図面の簡単な説明】
【図１】本発明の情報端末の実施形態に係る通信機能付き電子辞典（通信電子辞典）１０の電子回路の構成を示すブロック図。
【図２】前記通信電子辞典１０の辞典データベース１２ｂ，１２ｃにおける各辞典データが有するＷｅｂ検索情報を示す図。
【図３】前記通信電子辞典１０のリンク情報メモリ１２d1，１２d2，…におけるリンク情報の格納状態を示す図。
【図４】前記通信電子辞典１０の辞典データベース１２ｂ，１２ｃにおける各辞典内容と見出し語テーブル１２ｅとの対応関係を示す図。
【図５】前記情報端末（通信電子辞典）１０においてＷｅｂ情報を取得して辞典見出し語にリンク付け登録するためのリンク情報取得処理を示すフローチャート。
【図６】前記情報端末（通信電子辞典）１０でのリンク情報取得処理に伴う辞典リンク設定処理を示すフローチャート。
【図７】前記情報端末（通信電子辞典）１０でのリンク情報取得・辞典リンク設定処理に伴うＷｅｂホームページ（ＨＰ）からのＷｅｂ情報取得およびその辞典リンク設定の操作表示動作を示す図。
【図８】前記情報端末（通信電子辞典）１０でのリンク情報取得・辞典リンク設定処理に伴う外部情報機器（この場合はテレビ）３０からの発信情報に基づくＷｅｂ情報取得およびその辞典リンク設定の操作表示動作を示す図。
【図９】前記情報端末（通信電子辞典）１０においてリンク付け登録された辞典見出し語の対応情報を検索表示するためのリンク情報表示処理を示すフローチャート。
【図１０】情報端末（外部情報機器：他の通信電子辞典・携帯電話など）３０において前記情報端末（通信電子辞典）１０から送信されたＷｅｂリンク情報を受信するためのリンク情報受信処理を示すフローチャート。
【図１１】前記情報端末（通信電子辞典）１０でのリンク情報表示処理に伴う辞典検索操作表示動作を示す図。
【図１２】前記情報端末（通信電子辞典）１０でのリンク情報表示・送信処理および前記情報端末（外部情報機器）３０でのリンク情報受信処理に伴う辞典検索操作表示動作および受信表示動作を示す図。
【図１３】前記情報端末（通信電子辞典）１０において辞典検索に伴い詳細説明情報をＷｅｂ上から取得して辞典見出し語にリンク付け登録するためのネット検索情報登録処理を示すフローチャート。
【符号の説明】
１０  …情報端末（通信電子辞典）
１１  …ＣＰＵ
１２  …メモリ
１２Ａ…ＲＯＭ
１２Ｂ…FLASHメモリ(EEP-ROM)
１２Ｃ…ＲＡＭ
１２ａ…電子辞典制御プログラム
１２ｂ…内蔵辞典データベース
１２ｃ…ダウンロード辞典データベース
１２d1，１２d2，…リンク情報メモリ
１２e1，１２e2，…見出し語テーブル
１２ｆ…ダウンロードデータメモリ
１３  …外部記録媒体
１４  …記録媒体読取部
１５  …ネット接続部
１６  …近距離通信部
１７  …入力部
１７ａ…「辞典登録」キー
１７ｂ…「技術用語辞典」キー
１７ｃ…「訳／決定」キー
１７ｄ…「カタカナ辞典」キー
１７ｅ…「送信」キー
１８  …表示部
２０  …Ｗｅｂサーバ
３０  …外部情報機器（TV・他の通信電子辞典30a・携帯電話30b）
Ｎ  …通信ネットワーク（インターネット）
Ｇ１…Ｗｅｂページ画面
Ｇ２…検索情報表示画面
Ｇ３、Ｇ３′…受信リンク情報画面
Ｗ１…自動リンク設定ウインドウ
Ｗ２…マニュアルリンク設定ウインドウ
【図１】
0004061894.tif 000002
【図２】
0004061894.tif 000003
【図３】
0004061894.tif 000004
【図４】
0004061894.tif 000005
【図５】
0004061894.tif 000006
【図６】
0004061894.tif 000007
【図７】
0004061894.tif 000008
【図８】
0004061894.tif 000009
【図９】
0004061894.tif 000010
【図１０】
0004061894.tif 000011
【図１１】
0004061894.tif 000012
【図１２】
0004061894.tif 000013
【図１３】
0004061894.tif 000014